(57)【要約】【課題】視覚障害者と視覚健常者が同時にテレビ番組を快適に視聴できる画質制御と多画面表示機能を有した視覚障害者向け機能を有するテレビジョン受像機を提供する。【解決手段】ユーザーの入力を受け付けるユーザー入力手段と、画質調整データを記憶する記憶手段と、ユーザー入力手段からの要求に基づき、記憶手段からユーザーの画質調整データを読み出す読出手段と、映像データの画質を読出手段から読み出した画質調整データに基づき調整する画質調整手段と、画質調整手段からの調整された映像データを表示する表示手段とを具備する。【選択図】図１
2005192063.tif 000002
【特許請求の範囲】
【請求項１】
ユーザーの入力を受け付けるユーザー入力手段と、画質調整データを記憶する記憶手段と、前記ユーザー入力手段からの要求に基づき、前記記憶手段から前記ユーザーの画質調整データを読み出す読出手段と、映像データの画質を前記読出手段から読み出した画質調整データに基づき調整する画質調整手段と、前記画質調整手段からの調整された映像データを表示する表示手段とを具備することを特徴とするテレビジョン受像機。
【請求項２】
映像データを多画面表示する多画面表示手段を更に備え、前記ユーザー入力手段からユーザーを特定した多画面表示要求が入力された場合に、前記記憶手段から前記ユーザーに対する画質調整データを読み出し、前記画質調整手段が前記画質調整データに対応した画質で映像データを前記多画面表示手段へ出力することを特徴とする請求項１記載のテレビジョン受像機。
【請求項３】
ユーザーの入力を受け付けるステップと、画質調整データを記憶するステップと、前記ユーザー入力に基づき、前記ユーザーの画質調整データを読み出すステップと、映像データの画質を前記読み出した画質調整データに基づき調整するステップと、前記調整された映像データを表示するステップとを具備することを特徴とするテレビジョン受像方法。
【請求項４】
ユーザーの入力が、ユーザーを特定した多画面表示要求であった場合に、前記ユーザーの画質調整データに対応した画質に調整された映像データを多画面表示するステップを更に具備することを特徴とする請求項３記載のテレビジョン受像方法。
【請求項５】
ユーザーの入力を受け付けるステップと、画質調整データを記憶するステップと、前記ユーザー入力に基づき、前記ユーザーの画質調整データを読み出すステップと、映像データの画質を前記読み出した画質調整データに基づき調整するステップと、前記調整された映像データを表示するステップを実行させるためのプログラムを記録したコンピューター読み取り可能な記録媒体。
【請求項６】
ユーザーの入力を受け付けるステップと、画質調整データを記憶するステップと、前記ユーザー入力に基づき、前記ユーザーの画質調整データを読み出すステップと、映像データの画質を前記読み出した画質調整データに基づき調整するステップと、前記調整された映像データを表示するステップを実行させるためのプログラム。
【発明の詳細な説明】
【技術分野】
【０００１】
本発明は、家庭などで用いられる記憶装置からの視覚障害者向け画質調整データの読み出し機能と、画質調整機能と多画面表示機能を有したテレビジョン受像機に関するものである。特に、本発明は個人差のある視覚障害の程度に応じ、最適な画質調整データを記憶装置に記憶して画質調整と多画面表示を行い、視覚障害者に対して快適なテレビ番組視聴環境を提供することを可能とするテレビジョン受像機、またはそれらに用いられるコンピュータープログラムに関するものである。
【背景技術】
【０００２】
通常、テレビジョン受像機に表示される画面の画質は、視覚健常者にとって最適化された画質で調整され表示されている。しかし、このような画質は視覚障害者、特に色覚障害者にとっては見え辛い画質になってしまうため快適にテレビ番組を視聴することができなかった。そこで、従来、前記課題を解決するために、視覚障害者に適した画質を提供する装置が公知である（例えば、特許文献１参照）。
【特許文献１】特開２００２−０４４６７８号公報
【発明の開示】
【発明が解決しようとする課題】
【０００３】
しかしながら、上記従来の装置では、テレビジョン受像機の信号の一部を変換するため、視覚障害者に対して適した画質を提供することが可能となるが、視覚健常者にとっては逆に快適性を損なう画質しか提供できなかった。また映像が一律的に変換されるため、視覚障害者個々の障害の程度に対応することができないなどの弊害が生じていた。
【０００４】
つまり、一般的なテレビジョン受像機が持つ画質の調整機能を用いて視覚障害者に適する画質に変換した場合は、視覚健常者にとっては見辛い画面になってしまうため、同じ環境で視覚健常者と視覚障害者がテレビ番組を視聴することができなかった。
【０００５】
本発明は、上記事情に鑑みて成されたもので、記憶装置に視覚健常者に適した画質調整データ及び視覚障害者の個人差に応じた画質調整データを記憶することにより、テレビ画面の画質をユーザー操作によって任意に視覚障害者用と視覚健常者用を切りかえ、また、多画面機能を使用してテレビ画面を分割して、同一環境で視覚健常者と視覚障害者が同じテレビ番組を視聴することが可能なテレビジョン受像機を提供することを目的とする。
【課題を解決するための手段】
【０００６】
本発明の請求項１にかかるテレビジョン受像機は、ユーザーの入力を受け付けるユーザー入力手段と、画質調整データを記憶する記憶手段と、ユーザー入力手段からの要求に基づき、記憶手段からユーザーの画質調整データを読み出す読出手段と、映像データの画質を読出手段から読み出した画質調整データに基づき調整する画質調整手段と、画質調整手段からの調整された映像データを表示する表示手段とを具備することを特徴とする。
【０００７】
また、本発明の請求項２にかかるテレビジョン受像機は、請求項１の構成において、映像データを多画面表示する多画面表示手段を更に備え、ユーザー入力手段からユーザーを特定した多画面表示要求が入力された場合に、記憶手段からユーザーに対する画質調整データを読み出し、画質調整手段が画質調整データに対応した画質で映像データを多画面表示手段へ出力することを特徴とする。
【０００８】
また、本発明の請求項３にかかるテレビジョン受像方法は、ユーザーの入力を受け付けるステップと、画質調整データを記憶するステップと、ユーザー入力に基づき、ユーザーの画質調整データを読み出すステップと、映像データの画質を読み出した画質調整データに基づき調整するステップと、調整された映像データを表示するステップとを具備することを特徴とする。
【０００９】
また、本発明の請求項４にかかるテレビジョン受像方法は、請求項３の構成において、ユーザーの入力が、ユーザーを特定した多画面表示要求であった場合に、ユーザーの画質調整データに対応した画質に調整された映像データを多画面表示するステップを更に具備することを特徴とする。
【００１０】
また、本発明の請求項５にかかる記録媒体は、請求項３のテレビジョン受像方法を実施するコンピュータープログラムを記録するものであり、本発明の請求項６にかかるプログラムは、そのコンピュータープログラムそのものに関するものである。
【発明の効果】
【００１１】
本発明の視覚障害者向け機能を有するテレビジョン受像機によれば、記憶装置に記憶された視覚障害者に適した画質データを用いてテレビ画面の画質を視覚障害者に適した画質に調整し、多画面表示機能によりテレビ画面を分割して視覚障害者に適した画面と視覚健常者に適した画面を同時に表示できる構成としたことから、同じ環境で視覚障害者と視覚健常者が同じテレビ番組を快適に視聴する環境を提供できる効果がある。
【００１２】
また、視覚障害者毎に最適な画質の差を記憶装置に記憶することにより、簡便に多くの視覚障害者が自分に適した画質でテレビ番組を視聴することができる。
【発明を実施するための最良の形態】
【００１３】
（実施の形態１）
図１は本実施の形態１における視覚障害者向け機能を有するテレビジョン受像機のハードウェア構成図である。１１は、リモコンや本体ボタンなどによるユーザーの操作を入力するユーザー入力装置である。１２は、テレビ画面の色調などの画質状態を制御する画質調整装置である。１３は、画質調整装置１２で使用するユーザー固有に最適化された画質調整データを記憶するメモリーや取り外し可能なメモリーカードなどの書き換え可能な記憶装置である。１４は、テレビ画面を分割して表示するための多画面表示装置である。１５は、ブラウン管や液晶パネル、プラズマパネルなどの表示装置である。
【００１４】
図２はユーザー入力装置１１から得られるユーザー操作を処理し、記憶装置１３の画質調整データとテレビ画面の画質を関連付ける画質調整装置１２の詳細な構成を示す図である。１２ａは、画質調整データを統合処理する情報制御回路（以降、ＣＰＵと記す）である。１２ｂは、ＣＰＵ１２ａに接続された各手段を制御するためのコンピュータープログラムが格納されたプログラムＲＯＭである。１２ｃは、ＣＰＵ１２ａがデータの書き込み、読み出し、などの制御を行うために用いる取り扱い説明書の電子データ情報を統合処理する際の情報を一時的にデータを格納するためのワークＲＡＭである。１２ｄは、ユーザーからの操作を入力するユーザー入力入手手段である。１２ｅは、テレビ画面の画質回路を制御する画質制御回路である。１２ｆは、画質調整データを記憶装置１３に記憶させるための制御を行う記憶部制御装置である。１２ｇは、テレビ画面を分割表示する回路を制御する多画面制御回路である。
【００１５】
次に本実施の形態１による視覚障害者向け機能を有するテレビジョン受像機の動作について説明する。
【００１６】
まず、ユーザー操作により、視覚障害者に適した画質にする指定をユーザー入力装置１１より得る。画質調整装置１２は、ユーザー入力装置１１からの情報に基づき、指定された視覚障害者に適した画質調整データを記憶装置１３より読み出す。画質調整装置１２は、得られた画質調整データを用いてテレビ画面の画質を変化させる。また、画質調整装置１２は、ユーザー入力装置１１から多画面表示の通知を受けていれば、多画面表示装置１４に対してテレビ画面の分割表示を通知する。多画面表示装置１４は、画質調整装置１２から得られた通知に従い、テレビ画面を分割して所望の画質でテレビ映像を表示する。
【００１７】
次に、図３を用いて、視覚障害者に適した画質調整データとユーザーの入力操作とを関連付けた処理動作について説明する。ここで、ユーザーＡは視覚障害者であり、ユーザーＢは視覚健常者であるとする。
【００１８】
ユーザーＡは、ユーザー入力装置１１を用いてテレビ画面の画質を自分に最も適した状態に調整する（ステップ１）。画質調整装置１２は、その調整された画質データをユーザー入力入手手段１２ｄによって取得し、ワークＲＡＭ１２ｃに格納する。ＣＰＵ１２ａは得られた画質データを個別に管理する手段をプログラムＲＯＭ１２ｂから読み出して、記憶部制御装置１２ｆを用いて記憶装置１３にユーザーＡの画質調整データとして記憶する（ステップ２）。
【００１９】
上記処理により、ユーザーＡは、テレビ番組を視聴する際にユーザー入力装置１１よりユーザーＡ用に設定した画質調整データを指定し（ステップ３）、画質調整装置１２によって指定されたユーザーＡ固有の画質調整データを記憶装置１３より取得して画質制御回路１２ｅを用いてテレビ画面の画質を変更できる（ステップ４）。
【００２０】
また、ユーザー入力装置１１によってユーザーＡより多画面でのテレビ画面表示が指定されている場合は、画質調整装置１２は多画面制御回路１２ｆを用いて多画面表示装置１４に多画面表示を通知する。多画面表示装置１４は、得られた指定に基づきテレビ画面を分割し（ステップ５）、表示装置１５は得られた映像を、ユーザーＡの画質調整データとユーザーＢの画質調整データを用いて多画面表示する（ステップ６）。ここで、多画面表示は、複数の視覚障害者が同時に夫々に適した画質調整データで同じ映像を表示する構成としてもよい。
【００２１】
なお、本実施の形態では、記憶装置１３をテレビジョン受像機内部に持つ形態を提示したが、これが外部の書き換え可能な記憶装置の場合であっても、本発明の制御手段、方法によって容易に実施することができる。
【００２２】
また、本発明は本実施の形態に何ら限定されるものではなく、要旨を逸脱しない範囲においては種々なる態様で実施され得る。
【産業上の利用可能性】
【００２３】
本発明のテレビジョン受像機は、記憶装置に記憶された視覚障害者に適した画質データを用いてテレビ画面の画質を視覚障害者に適した画質に調整し、多画面表示機能によりテレビ画面を分割して視覚障害者に適した画面と視覚健常者に適した画面を同時に表示でき、また、視覚障害者毎に最適な画質の差を記憶装置に記憶することにより、簡便に多くの視覚障害者が自分に適した画質でテレビ番組を視聴することができるため、視覚障害者向けの表示を行うＡＶ機器に有用である。
【図面の簡単な説明】
【００２４】
【図１】本発明の実施の形態１に係る視覚障害者向け機能を有するテレビジョン受像機のハードウェア構成を示す図
【図２】同実施の形態に係る画質調整装置の構成を示す図
【図３】同実施の形態に係る視覚障害者に適した画質調整データとユーザーの入力操作とを関連付けた処理動作を示すフローチャート
【符号の説明】
【００２５】
１１    ユーザー入力装置
１２    画質調整装置
１３    記憶装置
１４    多画面表示装置
１５    表示装置
１２ａ    ＣＰＵ
１２ｂ    プログラムＲＯＭ
１２ｃ    ワークＲＡＭ
１２ｄ    ユーザー入力入手手段
１２ｅ    画質制御回路
１２ｆ    記憶部制御装置
１２ｇ    多画面制御回路
【図１】
2005192063.tif 000003
【図２】
2005192063.tif 000004
【図３】
2005192063.tif 000005